(57)【要約】【課題】複写の際に高精度に複写防止原稿を検出し、複写防止処理を施す。【解決手段】画像処理装置は、スキャナ４の走行体にアンテナ１が配設されて、画像の読み込み時にアンテナ１を介してリーダ・ライター２が原稿に付加された無線タグからの電波を受信して復調回路２２が復調信号を生成し、復調信号を受信した無線タグ識別番号識別判定部３１が、無線タグの種類を識別し、偽造防止原稿であると判定した場合、偽造防止処理部３２が偽造防止処理を施す。【選択図】        図１
2005208575.tif 000002
【特許請求の範囲】
【請求項１】
無線タグが付加された原稿を読取手段によって読み取り、読み取られた画像データに画
像処理を施す画像処理装置であって、
前記読取手段の移動体に配設され、前記読取手段による前記原稿の読み取り時に前記無
線タグから送信される電波を受信する電波受信手段と、
前記電波受信手段が受信する前記電波を復調する無線復調手段と、
前記無線復調手段によって復調された信号から前記無線タグの識別情報を識別する識別
手段と、
前記識別手段によって識別された識別情報により前記原稿が偽造防止対象であるか否か
を判定する偽造判定手段と、
前記偽造判定手段によって前記原稿が偽造防止対象であると判定された場合、読み取ら
れた前記画像データに対して偽造防止処理を施す偽造防止手段と、
を備えたことを特徴とする画像処理装置。
【請求項２】
前記偽造防止手段は、偽造防止対象の原稿であることを表示する追跡パターン情報を、
前記読み取られた画像データに付加して合成する画像合成手段を有するものであることを特徴とする請求項１に記載の画像処理装置。
【請求項３】
前記偽造防止手段は、
前記読み込まれた画像のヘッダに偽造判定結果を記録するヘッダ編集手段を有するもの
であることを特徴とする請求項１または２に記載の画像処理装置。
【請求項４】
前記識別手段は、
読み込まれた前記無線タグの情報を記録する無線タグ情報記録手段を有するものである
ことを特徴とする請求項１〜３のいずれか１つに記載の画像処理装置。
【請求項５】
無線タグが付加された原稿を読取手段によって読み取り、読み取られた画像データの画
像処理に対して課金処理を行う画像処理装置であって、
前記読取手段の移動体に配設され、前記読取手段による前記原稿の読み取り時に前記無
線タグから送信される電波を受信する電波受信手段と、
前記電波受信手段が受信する前記電波を復調する無線復調手段と、
前記無線復調手段によって復調された信号から前記無線タグの識別情報を識別する識別
手段と、
前記識別手段によって識別された識別情報により前記原稿が、読み取る前記画像データ
の画像処理に対して課金が必要な課金対象原稿であるか否かを判定する課金判定手段と、
前記課金判定手段によって前記原稿が課金対象であると判定された場合、前記画像デー
タの画像処理に対して課金処理を行う課金手段と、
を備えたことを特徴とする画像処理装置。
【請求項６】
無線タグが付加された原稿を読み取り、読み取られた画像データに画像処理を施す画像
処理方法であって、
前記原稿の読み取り時に前記無線タグから送信される電波を受信する電波受信工程と、
前記電波受信工程において受信された前記電波を復調する無線復調工程と、
前記無線復調工程において復調された信号から前記無線タグの識別情報を識別する識別
工程と、
前記識別工程において識別された識別情報により前記原稿が偽造防止対象であるか否か
を判定する偽造判定工程と、
前記偽造判定工程において前記原稿が偽造防止対象であると判定された場合、読み取ら
れた前記画像データに対して偽造防止処理を施す偽造防止工程と、
を備えたことを特徴とする画像処理方法。
【請求項７】
無線タグが付加された原稿を読み取り、読み取られた画像データの画像処理に対して課
金処理を行う画像処理方法であって、
前記原稿の読み取り時に前記無線タグから送信される電波を受信する電波受信工程と、
前記電波受信工程において受信された前記電波を復調する無線復調工程と、
前記無線復調工程において復調された信号から前記無線タグの識別情報を識別する識別
工程と、
前記識別工程において識別された識別情報により前記原稿が、読み取る前記画像データ
の画像処理に対して課金が必要な課金対象原稿であるか否かを判定する課金判定工程と、
前記課金判定工程において前記原稿が課金対象であると判定された場合、前記画像デー
タの画像処理に対して課金処理を行う課金工程と、
を備えたことを特徴とする画像処理方法。
【請求項８】
請求項６または７に記載の画像処理方法をコンピュータで実行することを特徴とするプ
ログラム。
【発明の詳細な説明】
【技術分野】
【０００１】
本発明は、画像処理装置、画像処理方法、およびその方法をコンピュータで実行するプ
ログラムに関するものであり、特に無線タグが付加された原稿の画像を入力し画像処理す
る際に、偽造防止や課金処理を行う画像処理装置、画像処理方法、およびその方法をコン
ピュータで実行するプログラムに関するものである。
【背景技術】
【０００２】
近年、フルカラー複写機などの画像処理装置の画質の向上に伴い、紙幣や有価証券など
複写が禁止されている原稿（以下、特定原稿と称する）を偽造する危険性が高まっている
。
【０００３】
このような違法な偽造を防止する発明が成されている。例えば、特許文献１は、入力さ
れたカラー画像信号の特性を補正し、補正画像信号を得る補正手段と、前記補正手段によ
り得られた補正画像信号中の特徴を抽出する抽出手段と、前記抽出手段により抽出された
特徴と予め用意された特定原稿の特徴との類似度を判定する偽造判定手段と、前記偽造判
定手段により判定された類似度に応じて入力されたカラー画像信号の処理内容を変更する
変更手段とを備えた画像処理装置が提案されている。
【０００４】
また、特許文献２および特許文献３には、画像認識装置であって、あらかじめ特殊原稿
の画像パターンを登録しておき、入力された画像のパターンと登録してある画像パターン
とを比較して類似度を判定し、判定した類似度により入力した画像が特殊原稿の画像であ
るか否かを判別して、特殊原稿が偽造されることを防ぐ技術が提案されている。
【０００５】
一方、非特許文献１には、個別情報を電子的に保持して電磁誘導により非接触で情報伝
達するＩＤ素子（ＲＦＩＤ：Ｒａｄｉｏ  Ｆｒｅｑｕｅｎｃｙ  ＩＤｅｎｔｉｆｉｃａｔ
ｉｏｎ）技術が開発され、物の識別管理のために応用され始めたことが記載されている。
ＩＤ素子を用いた個体認識方式は、流通分野におけるバーコードに替わる技術として注目
されている。特に、金券や、コンサートのチケットなどは、無線タグを埋め込み、埋め込
まれた無線タグ内に特殊な暗号データを格納することによって、偽造の防止が可能である
とされている。
【０００６】
また、画像データを読み取る従来複写機などのスキャナは、原稿の解像度が高いので、
主走査方向に１次元のＣＣＤを使用して走行体により、副走査方向に参照光を移動させて
、ラインごとに読み込み、２次元の画像を読み込んでいた。画像データの読み込みを使用
して紙幣あるいは有価証券等の複写を防止する方式としては、カラー画像形成装置が、複
写時に紙幣あるいは有価証券等であると判定した場合、判定したカラー画像形成装置の機
種や機番を特定する情報を示すパターン（以下、「追跡パターン」という）をこの紙幣あ
るいは有価証券等の複写画像に付加して出力する方式が知られている。これにより、紙幣
あるいは有価証券等の複写による紙幣あるいは有価証券等の偽造が防止されるものである
。
【０００７】
なお、従来圧縮方式としてはＤＣＴなどの直交変換によって画像データを周波数成分に
変換し、その変換係数を量子化する方式が知られており、特にＤＣＴを使用した多値画像
を符号化する方式としてＩＴＵ−ＴとＩＳＯによって標準化されたＪＰＥＧ方式が知られ
ている。ＪＰＥＧのＤＣＴ演算式は以下の通りである。
【０００８】
【数１】
2005208575.tif 000003
【数２】
2005208575.tif 000004
【数３】
2005208575.tif 000005
【０００９】
【特許文献１】特開平６−１０５１３６号公報
【特許文献２】特開平２−２１０５９１号公報
【特許文献３】特開平６−５４１８６号公報
【非特許文献１】情報処理学会「モノに情報を貼り付けるＲＦＩＤタグとその応用」情報処理学会誌４０巻８号ｐ８４６〜８５０（１９９９年８月）
【発明の開示】
【発明が解決しようとする課題】
【００１０】
しかしながら、フルカラー複写機では画像読取装置ごとに、画像の読み取り特性が異な
っており、また同一の画像読取装置であっても、時間の経過や読取位置によってランプの
光量が異なる。さらに、特定原稿自体も濃度の高いものや低いもの、また汚損したものや
消耗して画像が不鮮明になったものが存在する。これらの要因によって、従来の偽造防止
の方式においては、画像読取装置からの画像信号のレベルが変動するので、特定原稿であ
るか否かの判別率が低下するという問題があった。
【００１１】
また、特殊原稿の画像パターンを複写機に登録しておいても、特殊原稿の倍率を変えた
画像パターンが入力された場合、登録してある画像パターンと類似度が少ないと判定され
て偽造される可能性がある。このため、特殊原稿の画像パターンを全ての変倍率に対応さ
せて登録しなければならず、この場合、大容量のメモリを必要とし、かつ判別処理も複雑
になり、正確な判別率が低下するという問題があった。
【００１２】
そこで、無線タグを内蔵する金券、証券、あるいはチケットなどにおいては無線タグを
内蔵させ、内蔵された無線タグと交信して偽造防止対象であるか否かを判断することが考
えられる。しかし、金券や、証券や、チケットなどに使用する無線タグは一般的に無線タ
グの面積を小さくする為に通信距離が数ｍｍから数ｃｍの範囲と短いため、正確な判読が
容易でないという問題があった。
【００１３】
また、近年、フルカラー複写機などの画像処理装置の画質の向上に伴い公共の図書館や
、企業の図書館において、本などを複写機でコピーする場合、本をコピーすることによる
出版社の著作権を侵害することが問題となってきている。
【００１４】
本発明は、上記の従来の問題点に鑑み、無線タグが内蔵された特定原稿と交信して、特
定原稿を高精度で判別して偽造防止できる画像処理装置、画像処理方法、およびその方法
をコンピュータで実行するプログラムを提供することを目的とする。
【００１５】
また本発明は、無線タグが内蔵された原稿と交信して、複写に際して課金が必要な原稿
であるか否かを高精度で判別し、課金処理を採ることができる画像処理装置、画像処理方
法、およびその方法をコンピュータで実行するプログラムを提供することを目的とする。
【課題を解決するための手段】
【００１６】
上述した課題を解決し、目的を達成するために、請求項１にかかる発明は、画像処理装
置であって、無線タグが付加された原稿を読取手段によって読み取り、読み取られた画像
データに画像処理を施す画像処理装置であって、前記読取手段の移動体に配設され、前記
読取手段による前記原稿の読み取り時に前記無線タグから送信される電波を受信する電波
受信手段と、前記電波受信手段が受信する前記電波を復調する無線復調手段と、前記無線
復調手段によって復調された信号から前記無線タグの識別情報を識別する識別手段と、前
記識別手段によって識別された識別情報により前記原稿が偽造防止対象であるか否かを判
定する偽造判定手段と、前記偽造判定手段によって前記原稿が偽造防止対象であると判定
された場合、読み取られた前記画像データに対して偽造防止処理を施す偽造防止手段と、
を備えたことを特徴とする。
【００１７】
この請求項１にかかる発明によれば、電波受信手段は、読取手段の移動体に配設され、
読取手段による原稿の読み取り時に無線タグから送信される電波を受信する。無線復調手
段は、電波受信手段が受信する電波を復調する。識別手段は、無線復調手段によって復調
された信号から無線タグの識別情報を識別する。偽造判定手段は、識別手段によって識別
された識別情報により原稿が偽造防止対象であるか否かを判定する。偽造防止手段は、偽
造判定手段によって原稿が偽造防止対象であると判定された場合、読み取られた画像デー
タに対して偽造防止処理を施す。この構成により、無線タグを付加された偽造防止対象の
原稿を複写する際に、移動体に配設された電波受信手段が、無線タグの電波を検出するの
で、偽造防止対象の原稿であることを高精度に判定し、偽造防止処理を施して偽造を防止
することができる。
【００１８】
また、請求項２にかかる発明は、請求項１に記載の画像処理装置において、前記偽造防
止手段は、偽造防止対象の原稿であることを表示する追跡パターン情報を、前記読み取ら
れた画像データに付加して合成する画像合成手段を有するものであることを特徴とする。
【００１９】
この請求項２にかかる発明によれば、偽造防止手段は、偽造防止対象の原稿であること
を表示する追跡パターン情報を、読み取られた画像データに付加して合成する画像合成手段を有する。この構成により、複写物に追跡パターン情報を表示するので、偽造防止対象の原稿であることを高精度に判定し、追跡可能な偽造防止処理を施して偽造を防止することができる。
【００２０】
また、請求項３にかかる発明は、請求項１または２に記載の画像処理装置において、前
記偽造防止手段は、前記読み込まれた画像のヘッダに偽造判定結果を記録するヘッダ編集
手段を有するものであることを特徴とする。
【００２１】
この請求項３にかかる発明によれば、偽造防止手段は、読み込まれた画像のヘッダに偽
造判定結果を記録するヘッダ編集手段を有する。この構成により、複写物のヘッダに偽造
判定結果を記録するので、偽造防止対象の原稿であることを高精度に判定し、偽造判定結
果を記録して偽造を防止することができる。
【００２２】
また、請求項４にかかる発明は、請求項１〜３のいずれか１つに記載の画像処理装置に
おいて、前記識別手段は、読み込まれた前記無線タグの情報を記録する無線タグ情報記録
手段を有するものであることを特徴とする。
【００２３】
この請求項４にかかる発明によれば、識別手段は、読み込まれた無線タグの情報を記録
する無線タグ情報記録手段を有する。この構成により、原稿に付加された無線タグ情報を
記録として残せるので、偽造防止対象の原稿であることを高精度に判定し、原稿の無線タ
グ情報を記録として残し、偽造を防止することができる。
【００２４】
また、請求項５にかかる発明は、画像処理装置であって、無線タグが付加された原稿を
読取手段によって読み取り、読み取られた画像データの画像処理に対して課金処理を行う
画像処理装置であって、前記読取手段の移動体に配設され、前記読取手段による前記原稿
の読み取り時に前記無線タグから送信される電波を受信する電波受信手段と、前記電波受
信手段が受信する前記電波を復調する無線復調手段と、前記無線復調手段によって復調さ
れた信号から前記無線タグの識別情報を識別する識別手段と、前記識別手段によって識別
された識別情報により前記原稿が、読み取る前記画像データの画像処理に対して課金が必
要な課金対象原稿であるか否かを判定する課金判定手段と、前記課金判定手段によって前
記原稿が課金対象であると判定された場合、前記画像データの画像処理に対して課金処理
を行う課金手段と、を備えたことを特徴とする。
【００２５】
この請求項５にかかる発明によれば、電波受信手段は、読取手段の移動体に配設され、
読取手段による原稿の読み取り時に無線タグから送信される電波を受信する。無線復調手
段は、電波受信手段が受信する電波を復調する。識別手段は、無線復調手段によって復調
された信号から無線タグの識別情報を識別する。課金判定手段は、識別手段によって識別
された識別情報により原稿が、読み取る画像データの画像処理に対して課金が必要な課金
対象原稿であるか否かを判定する。課金手段は、課金判定手段によって原稿が課金対象で
あると判定された場合、画像データの画像処理に対して課金処理を行う。この構成により
、無線タグを付加された課金対象の原稿を複写する際に、移動体に配設された電波受信手
段が、無線タグの電波を検出するので、課金対象の原稿であることを高精度に判定し、複
写に際して課金処理を採ることができる。
【００２６】
また、請求項６にかかる発明は、画像処理方法であって、無線タグが付加された原稿を
読み取り、読み取られた画像データに画像処理を施す画像処理方法であって、前記原稿の
読み取り時に前記無線タグから送信される電波を受信する電波受信工程と、前記電波受信
工程において受信された前記電波を復調する無線復調工程と、前記無線復調工程において
復調された信号から前記無線タグの識別情報を識別する識別工程と、前記識別工程におい
て識別された識別情報により前記原稿が偽造防止対象であるか否かを判定する偽造判定工
程と、前記偽造判定工程において前記原稿が偽造防止対象であると判定された場合、読み
取られた前記画像データに対して偽造防止処理を施す偽造防止工程と、を備えたことを特
徴とする。
【００２７】
この請求項６にかかる発明によれば、原稿の読み取り時に無線タグから送信される電波
を受信し、受信された電波を復調し、復調された信号から無線タグの識別情報を識別し、
識別された識別情報により原稿が偽造防止対象であるか否かを判定し、原稿が偽造防止対
象であると判定された場合、読み取られた画像データに対して偽造防止処理を施す。この
構成により、無線タグを付加された偽造防止対象の原稿を複写する際に、無線タグの電波
を検出して偽造防止対象の原稿であることを高精度に判定し、偽造防止処理を施して偽造
を防止することができる。
【００２８】
また、請求項７にかかる発明は、画像処理方法であって、無線タグが付加された原稿を
読み取り、読み取られた画像データの画像処理に対して課金処理を行う画像処理方法であ
って、前記原稿の読み取り時に前記無線タグから送信される電波を受信する電波受信工程
と、前記電波受信工程において受信された前記電波を復調する無線復調工程と、前記無線
復調工程において復調された信号から前記無線タグの識別情報を識別する識別工程と、前
記識別工程において識別された識別情報により前記原稿が、読み取る前記画像データの画
像処理に対して課金が必要な課金対象原稿であるか否かを判定する課金判定工程と、前記
課金判定工程において前記原稿が課金対象であると判定された場合、前記画像データの画
像処理に対して課金処理を行う課金工程と、を備えたことを特徴とする。
【００２９】
この請求項７にかかる発明によれば、原稿の読み取り時に無線タグから送信される電波
を受信し、受信された電波を復調し、復調された信号から無線タグの識別情報を識別し、
識別された識別情報により原稿が、読み取る画像データの画像処理に対して課金が必要な
課金対象原稿であるか否かを判定し、原稿が課金対象であると判定された場合、画像デー
タの画像処理に対して課金処理を行う。この構成により、無線タグを付加された課金対象
の原稿を複写する際に、無線タグの電波を検出するので、課金対象の原稿であることを高
精度に判定し、複写に際して課金処理を採ることができる。
【００３０】
また、請求項８にかかる発明は、プログラムであって、請求項６または７に記載の画像
処理方法をコンピュータで実行することを特徴とする。
【００３１】
この請求項８にかかる発明によれば、請求項６または７に記載の画像処理方法をコンピ
ュータで実行することができる。
【発明の効果】
【００３２】
本発明（請求項１）にかかる画像処理装置は、無線タグを付加された偽造防止対象の原
稿を複写する際に、移動体に配設された電波受信手段が、無線タグの電波を検出するので
、偽造防止対象の原稿であることを高精度に判定し、偽造防止処理を施して偽造を防止す
ることができるという効果を奏する。
【００３３】
また、本発明（請求項２）にかかる画像処理装置は、複写物に追跡パターン情報を表示
するので、偽造防止対象の原稿であることを高精度に判定し、追跡可能な偽造防止処理を
施して偽造を防止することができるという効果を奏する。
【００３４】
また、本発明（請求項３）にかかる画像処理装置は、複写物のヘッダに偽造判定結果を
記録するので、偽造防止対象の原稿であることを高精度に判定し、偽造判定結果を記録し
て偽造を防止することができるという効果を奏する。
【００３５】
また、本発明（請求項４）にかかる画像処理装置は、原稿に付加された無線タグ情報を
記録として残せるので、偽造防止対象の原稿であることを高精度に判定し、原稿の無線タ
グ情報を記録として残し、偽造を防止することができるという効果を奏する。
【００３６】
また、本発明（請求項５）にかかる画像処理装置は、無線タグを付加された課金対象の
原稿を複写する際に、移動体に配設された電波受信手段が、無線タグの電波を検出するの
で、課金対象の原稿であることを高精度に判定し、複写に際して課金処理を採ることがで
きるという効果を奏する。
【００３７】
また、本発明（請求項６）にかかる画像処理方法は、無線タグを付加された偽造防止対
象の原稿を複写する際に、無線タグの電波を検出して偽造防止対象の原稿であることを高
精度に判定し、偽造防止処理を施して偽造を防止することができるという効果を奏する。
【００３８】
また、本発明（請求項７）にかかる画像処理方法は、無線タグを付加された課金対象の
原稿を複写する際に、無線タグの電波を検出するので、課金対象の原稿であることを高精
度に判定し、複写に際して課金処理を採ることができるという効果を奏する。
【００３９】
また、本発明（請求項８）にかかるプログラムは、請求項６または７に記載の画像処理
方法をコンピュータで実行することができるという効果を奏する。
【発明を実施するための最良の形態】
【００４０】
以下に添付図面を参照して、この発明にかかる画像形成装置、画像形成方法、およびそ
の方法をコンピュータで実行するプログラムの最良な実施の形態を詳細に説明する。
（１．実施の形態１）
（１．１．実施の形態１による画像処理装置の構成）
図１は、実施の形態１による画像処理装置の機能的ブロック図である。画像処理装置は
、アンテナ１、リーダ・ライター２、画像処理ユニット３、およびスキャナ４を備える。
リーダ・ライター２は、アンテナ入力回路２１、復調回路２２、データ処理回路２３、送
信ドライバ２４、および変調回路２５を備える。画像処理ユニット３は、無線タグ識別番
号識別判定部３１、偽造防止処理部３２、および画像データ入力処理部３３を備える。
【００４１】
アンテナ１は、読み取りを行う移動体に配設されて、複写すべき原稿に内蔵された無線
タグと交信する電波を送受信する。
【００４２】
リーダ・ライター２は、アンテナ１を介して複写すべき原稿に内蔵された無線タグと交
信する。アンテナ入力回路２１は、アンテナ１からの電波を受信し、受送信アンテナの制
御を行う。復調回路２２は、受信した電波を復調する。データ処理回路２３は、復調され
た電波を信号処理し、画像処理ユニット３に送信する。また、データ処理回路２３は、画
像処理ユニット３からの信号を処理して、変調回路２５に送信する。変調回路２５は、デ
ータ処理回路２３からの信号を変調し送信ドライバ２４に送信する。送信ドライバ２４は
、アンテナ１を介して、原稿に埋め込まれた無線タグに電波を送信する。
【００４３】
スキャナ４は、原稿を読み取る。画像データ入力処理部３３は、スキャナ４によって読
み込まれた画像データを画像処理する。画像データ入力処理部３３が施す画像データに対
する処理の詳細については、後述する。
【００４４】
画像処理ユニット３の無線タグ識別番号識別判定部３１は、リーダ・ライター２から受
信した無線タグの識別情報を識別し、特定原稿であるか否かを判定する。偽造防止処理部
３２は、無線タグ識別番号識別判定部３１によって複写しようとする原稿が特定原稿であ
ると判定した場合、画像データ入力処理部３３によって画像処理された画像データに対し
て、偽造防止処理を施す。
【００４５】
ここで、アンテナ１は本発明の電波受信手段を構成する。アンテナ入力回路２１および
復調回路２２は本発明の無線復調手段を構成する。無線タグ識別番号識別判定部３１は、
本発明の識別手段および偽造判定手段を構成する。偽造防止処理部３２は本発明の偽造防
止手段を構成する。
【００４６】
図２は、画像処理装置の全体構成図である。図３は、実施の形態１による画像処理手順
を説明するフローチャートである。図４は、原稿読み取り走行体に配設されて原稿面を移
動するアンテナの模式図である。図５は、原稿読み取り走行体に配設されたアンテナの配
置を説明する模式図である。図２〜５を参照して、実施の形態１による画像処理装置の各
部の機能を、処理手順に従って説明する。
【００４７】
スキャナ４が原稿画像を読み取る（ステップＳ１０１）。平滑フィルタ処理部４１は、スキャナから読み込んだ画像データをシェーデイング補正、ＭＴＦγ補正、平滑化フィルタ処理などの画像処理を施し（ステップＳ１０２）、処理後の画像データを、ラインメモリ４２に書き込む。
【００４８】
ラインメモリ４２は、平滑化フィルタ処理部４１によって画像処理されたデータを一時
、格納する。
【００４９】
符号化部４３は、ラインメモリ４２からの画像データを符号化し、メインメモリ５のページ符号メモリ領域５３へ符号を書き込み、ページヘッダメモリ領域５２に量子化テーブルを書き込む。ここで、平滑化フィルタ処理された画像データに対して、ＲＧＢ圧縮処理（ステップＳ１０３）、および多値ＲＧＢ符号記憶処理が施されて記憶される（ステップＳ１０４）。
【００５０】
アンテナ１は、副走査方向に移動しながら無線タグへの電波を送信し、また無線タグからの電波を受信する。リーダ・ライター２は、アンテナ１に対して無線タグへの応答要求を送信し、また無線タグからの回答を受信し（ステップＳ２０１）、受信した電波を復調する（ステップＳ２０２）。
【００５１】
無線タグ識別番号識別判定部３１は、リーダ・ライター２から送信される無線タグの識別番号を識別し、偽造防止対象の番号であるか否かを判定する（ステップＳ２０３）。偽造防止対象の番号でないと判定された場合（ステップＳ２０３のＮｏ）、無線タグアクセスを記憶して、画像形成ステップに進む（ステップＳ２０４）。一方、偽造防止対象であると判定した場合（ステップＳ２０３のＹｅｓ）、ページヘッダ編集部３４は、無線タグ識別番号識別判定部３１からの偽造防止対象の判定結果を受信し、ページヘッダを編集し（ステップＳ２０４）、メインメモリ５のページヘッダメモリ領域５２に、偽造防止対象であることを記録する（ステップＳ２０６）。
【００５２】
メインメモリ５は、符号化部４３によって生成されたページ符号データを、ページ符号
メモリ領域５３に格納し、ページヘッダ編集部３４からの偽造防止対象情報および符号化
部４３からの量子化テーブル値をページヘッダメモリ領域５２に格納し、また無線タグ識別番号識別判定部３１によって判定された無線タグ情報を無線タグアクセス記録メモリ領域５１に格納し、また偽造防止処理部３２が防止処理する追跡パターンを追跡パターンメモリ領域５４に格納する（ステップＳ２０７）。
【００５３】
偽造防止対象であった場合も、検知した無線タグについてのデータが、メインメモリ５の無線タグアクセス記録領域５１へ記録される（ステップＳ２０４）。
【００５４】
ページ復号部３５は、ページヘッダメモリ領域５２から量子化テーブルおよび偽造防止
対象情報を読み込み、ページ符号メモリ領域５３から符号を順次読み込み復号し、偽造防
止処理部３２へ転送する（ステップＳ１０５）。
【００５５】
偽造防止処理部３２は、ページ復号部３５から受信した偽造防止対象情報によって、偽造防止番号だったか否かを判定し（ステップＳ１０６）、偽造防止番号でなかった場合（ステップＳ１０６のＮｏ）、通常の画像処理である色補正処理を施す（ステップＳ１０８）。偽造防止処理部３２が、偽造防止番号であると判定した場合（ステップＳ１０６のＹｅｓ）、ページ復号部３５によって復号された画像データに対して、ステップＳ２０７において追跡パターンメモリ領域５４に格納された追跡パターン情報を読み込んで、合成を施して、即ち偽造防止処理を施して（ステップＳ１０７）、画像処理部３６へ転送する。
【００５６】
画像処理部３６は、偽造防止処理部３２から受信した画像データ受け取り、色補正処理（ステップＳ１０８）および階調処理を施し（ステップＳ１０９）、ラインメモリ３７へ転送する。
【００５７】
ラインメモリ３７は、画像処理部３６によって画像処理を施された画像データを一時格納する。
【００５８】
プリンタエンジン３８では、画像出力する（ステップＳ１１０）。
【００５９】
ハードディスク（ＨＤＤ）制御部６１は、ハードディスク（ＨＤＤ）６２を制御する。
ＨＤＤ６２は、メインメモリ５のページ符号、追跡パターン、ページヘッダ、無線タグア
クセス記録などの情報を記憶する。
【００６０】
図４に示すように、走行体１１（図２１の符号５０１）は、アンテナ１０１〜１０５を
配設する。図５に示すように、アンテナ１０１〜１０５を配設する走行体１１は、原稿に
対して副走査方向に移動し、アンテナ１０１〜１０５は、図４および５に示したように配
設されることによって、無線タグから発信される電波を受信する。
【００６１】
図６は、リーダ・ライターと交信する無線タグの機能的ブロック図である。無線タグ７
０は、メモリ７１、データ処理回路７２、変調回路７３、送信ドライバ７４、アンテナ入
力回路７５、電源生成回路７６、および復調回路７７を備える。
【００６２】
メモリ７１は、無線タグの識別番号や、無線タグの内容などを記憶する。データ処理回
路７２は、各種のデータ処理を施す。変調回路７３は、送信データに対して変調処理を施
す。送信ドライバ７４は、送信処理を行う。アンテナ入力回路７５は、受送信アンテナの
制御を行う。電源生成回路７６は、受信した電力波を整流して平滑することにより、安定
した直流電圧を生成して、各回路に動作電圧として供給する。復調回路７７は、受信信号
に対して復調処理を施す。なお、図６に示されたリーダ・ライター２の各ブロックについ
ては、すでに説明した通りである。
【００６３】
図７は、無線タグアクセス記録のフォーマットの一例を示す模式図である。ここでは、
時間、種類製造元、タイトル、およい複写枚数を記録している。図６中の符号６５は、本
を複写する場合の無線タグアクセス記録である。図６中の符号６６は、金権を複写する場
合の無線タグアクセス記録である。
【００６４】
図８は、ページヘッダのフォーマットの一例を示す模式図である。ここでは、符号化方
式、偽造防止フラグ、追跡パターン番号、および量子化テーブルが示されたフォーマット
である。
【００６５】
図９は、リーダ・ライターと無線タグとの交信手順を説明するフローチャートである。
リーダ・ライター２のデータ処理回路２３から送信された識別情報要求信号は、変調回路
２５、送信ドライバ２４を介してアンテナ１から無線タグに対して電波送信される（矢印
９０１）。アンテナ７８およびアンテナ入力回路７５を介して受信した応答要求信号電波
は、復調回路７７によって復調されて、応答要求信号はデータ処理回路７２に送信され、
受信したデータ処理回路７２はメモリ７１に格納された識別情報を読み出し、処理を施し
、変調回路７３によって電波に変調され、送信ドライバ７４を介してアンテナ７８を通し
て電波発信される（矢印９０２）。
【００６６】
無線タグから送信された識別情報を受信したリーダ・ライター２は、上記と同様の経路
によって、記録内容アクセス要求を無線タグに対して発信する（矢印９０３）。発信され
た記録内容アクセス要求を受信した無線タグは、上記と同様の経路によって記録内容アク
セス応答を行う（矢印９０４）。
【００６７】
図１０は、実施の形態１による画像処理装置における偽造防止手順を説明するフローチ
ャートである。リーダ・ライター２は、無線タグに対して識別情報要求信号を送信する（
ステップＳ３０１）。リーダ・ライター２は、識別情報応答信号を受信したか否かを判定
する（ステップＳ３０２）。受信しない場合（ステップＳ３０２のＮｏ）は、ステップＳ
３０１に戻り、受信した場合（ステップＳ３０２のＹｅｓ）は、識別情報は偽造防止対象
のものであるか否かを判定する（ステップＳ３０３）。偽造防止対象であると判定した場
合（ステップＳ３０３のＹｅｓ）符号ヘッダに偽造防止対象であることを追記し（ステッ
プＳ３０４）、偽造防止対象でないと判定した場合はそのまま（ステップＳ３０３のＮｏ
）、無線タグの詳細情報を読み込み、無線タブアクセス記録メモリ領域へ書き込む（ステ
ップＳ３０５）。
【００６８】
図１１は、図２の符号化部の機能的ブロック図である。符号化処理部４３１は、ＪＰＥ
Ｇなどの方式により画像データを符号化し、メインメモリ５のページ符号メモリ領域５３
へ符号データを転送する。量子化テーブル記憶部４３２は、符号化処理部４３１の符号化
に必要な量子化テーブルを格納する。ページ符号アドレス生成部４３３は、メインメモリ
５のページ符号メモリ領域５３のアドレスを生成する。
【００６９】
図１２は、図２のページ復号部の機能的ブロック図である。復号処理部３５１は、ＪＰ
ＥＧなどの方式によりメインメモリ５のページ符号メモリ領域５３の符号データを復号す
る。ページヘッダ記憶部３５２は、復号処理部３５１の復号に必要な量子化テーブルや、
追跡パターン番号、偽造防止情報など格納する。ページ符号アドレス生成部３５３は、メ
インメモリ５のページ符号メモリ領域５３のアドレスを生成する。
【００７０】
図１３は、図２の偽造防止処理部３２の機能的ブロック図を示す。ＭＵＸ３２１は、偽
造防止フラグが"１"（偽造防止対象であることを示す）の場合は追跡パターンを画像合成部３２２へ転送し、偽造防止フラグが"０"（偽造防止対象でないことを示す）の場合は"０"パターンを画像合成部３２２へ転送する。画像合成部３２２は、ページ復号部３５からの復号された画像と、ＭＵＸ３２１からの合成パターンを受け取り画像合成を行う。追跡パターンデータアドレス生成部３２３は、メインメモリ５の追跡パターンメモリ領域５４のアドレスを生成する。
【００７１】
図１４は、図２の画像処理部の機能的ブロック図である。バッファー３６１は、偽造防
止処理部３２からの画像データを一時格納する。色変換処理部３６２は、バッファー３６
１に格納された画像データをＣＭＹＫへ色変換する。階調処理部３６３は、色変換処理部
３６２により色変換されたＣＭＹＫデータに階調処理を施す。ＰＩＸＥＬ＿ＴＯ＿ＰＬＡ
ＮＥ変換部３６４は、階調処理後のＣＭＹＫデータを各プレーンごとメモリのワードサイ
ズに並び替える。バッファー３６５は、ＰＩＸＥＬ＿ＴＯ＿ＰＬＡＮＥ変換部３６４から
のデータを一時格納する。
【００７２】
（１．２．効果）
スキャナの走行体にアンテナを配設し、画像の読み込みと同時にアンテナを介してリー
ダ・ライターが原稿に付加された無線タグと交信を行い、無線タグ識別番号識別判定部が
無線タグの種類を識別し、偽造防止対象であると判定した場合、偽造防止処理部が偽造防
止処理を施すことによって、スキャナのランプなどの読み取り装置の状態や、複写対象の
汚れなどに左右されずにスキャナ面のどの位置においても、高精度に偽造防止原稿か否か
を判定し、有効に複写による偽造を防止することができる。
【００７３】
（２．実施の形態２）
（２．１．実施の形態２による画像処理装置の構成）
図１５は、実施の形態２による画像処理装置の機能的ブロック図である。実施の形態２
による画像処理装置が実施の形態１と異なる点は、画像処理ユニット３０が、無線タグを
識別して著作権に由来して複写に際して課金が必要か否かを判定する無線タグ識別番号識
別判定部３０１を備え、課金が必要であると判定された場合、複写を作成するに際して課
金処理を行う課金処理部８０を備えた点である。この構成によって、複写に際して課金が
必要であると判定した場合、著作権に由来する料金を課金する課金処理を行うことができ
る。
【００７４】
図１６は、実施の形態２による画像処理装置の全体構成図である。図１７は、実施の形
態２による画像処理の概略的な手順を説明するフローチャートである。図１５〜１７を参
照しながら、実施の形態２による画像処理装置の各部の機能を、処理手順に従って、主に
実施の形態１による画像処理と異なる点について説明する。
【００７５】
画像処理ユニット３０の無線タグ識別番号識別判定部３０１は、アンテナ１を介して原稿に付加された無線タグについての識別番号を受信して識別し、複写に際して課金対象原稿を示す識別情報であるか否かを判断し、ページヘッダ編集部３０４を介して、メインメモリ５のページヘッダメモリ領域５２に、判定結果を記録する。
【００７６】
ＬＣＤコントローラ３１０は、通信部８によって受信した外部からの課金情報、および操作パネル３２１が受け付けた入力情報を読み込み、ＬＣＤ（液晶モニタ）３２０を制御して表示させる。
【００７７】
ＬＣＤ（液晶モニタ）３２０は、ＬＣＤコントローラ３１０によって制御され、情報（コピー枚数や、著作権を有する企業名、著作権を有する企業からのメッセージ、課金された金額など）を表示する。
【００７８】
操作パネル３２１は、コピーしたい枚数や、著作権を有する企業からのメッセージからの回答などを操作者が入力した場合受け付ける。パネルコントローラ３１１は、操作パネル３２１が受け付けた操作情報を受信し通信部８へ送信する。
【００７９】
ここで、課金対象であると否とに関わらず無線タグ識別番号識別判定部３０１が識別した無線タグの識別情報は、メインメモリ５の無線タグアクセス記録領域５１に記録される（ステップＳ４０１）。
【００８０】
ページヘッダ編集部３０４は無線タグ識別番号識別判定部３０１から課金対象であるとの判定が成された場合、課金対象であるとの情報をメインメモリ５のページヘッダ領域５２に記録する。
【００８１】
ページヘッダ編集部３０４からの課金対象情報、および符号化部４３からの量子化テー
ブル値は、ページヘッダメモリ領域５２に格納される。
【００８２】
ページ復号部３５は、ページヘッダメモリ領域５２から量子化テーブル、および課金対
象情報を読み込み、ページ符号メモリ領域５３から画像の符号データを順次読み込み復号
し、課金処理部８０へ転送する。
【００８３】
課金処理部８０は、復号部３５からの課金対象情報に基づき、復号部３５から復号され
た画像データに対して、メインメモリ５の追跡パターン情報を読み込み合成して、画像処
理部３６へ転送する。
【００８４】
画像処理部３６は、課金処理部８０から出力される画像データ受け取り、画像処理を施
し、ラインメモリ３７へ転送する。
【００８５】
通信部８は、ネットワーク１０を介して、課金管理システム９に対して、メインメモリ
５の無線タグアクセス記録を転送する（ステップＳ４０２）。
【００８６】
課金管理システム９は、複写機で取得された無線タグアクセス記録（例えば、図７の無
線タグアクセス記録６５）にもとづき、著作権を有する企業に対し、コピーした枚数など
を通知する（ステップＳ４０３）。著作権を有する企業から課金料金を通知された課金管
理システムは、複写時に必要な課金料金を複写機に通知する（ステップＳ４０４）。
【００８７】
（２．２．課金管理システムへの適用例）
図１８は、実施の形態２による画像処理装置を課金処理機能付き複写機として書店に設
置した場合における課金処理の手順を説明するフローチャートである。図１９は、画像処理装置のＬＣＤに課金情報を表示する一例を示す模式図である。ここでは、本屋で販売されている雑誌を客は購入したくはないが雑誌に掲載されている記事の一部分のみを購入したく思っている場合に、雑誌の一部分のみ複写して著作権に由来する課金処理を行う場面である。複写機が雑誌の無線タグから出版社名、雑誌名、および出版社のメールアドレスなどを読み取り、複写した金額を出版社へ支払うシステムの流れを説明する。
【００８８】
まず、客は複写する雑誌を複写機に載置し、ＬＣＤ３２０を見ながら操作パネル３２１を操作して複写動作に必要な入力操作を行う（ステップＳ５０１）。複写機は無線タグからの信号を検知し、複写した画像データを一時保存し、印刷出力を一時停止する（ステップＳ５０２）。複写機は読み込んだ無線タグの内容から著作権を有する会社（図１９の場合はリコー（Ｒ））へ、雑誌名、複写枚数、および複写箇所を通知する（ステップＳ５０３）。
【００８９】
複写機から複写に関する情報を通知された会社の課金システム９は、複写する雑誌およびその箇所、枚数などから課金料金を計算し、複写機に通知する（ステップＳ５０４）。通知された課金料金の金額の情報を受信した複写機は、課金された料金と複写料金とを加算し、ＬＣＤ３２０に表示させて客に通知する（ステップＳ５０５）。ここでは図１９に示すようにコピー枚数が１０枚であって、課金料金が５０円であると表示されている。加算された金額を通知された客は、通知された金額を複写機の投入口へ投入する（ステップＳ５０６）。複写機は、一旦保存しているコピー画像データを印刷出力する（ステップＳ５０７）。複写機は出版社へ印刷した雑誌名、箇所、および枚数をＬＣＤ３２０に表示させて客に通知する（ステップＳ５０８）。複写機は印刷した雑誌名、出版社、箇所、枚数および料金を記録する（ステップＳ５０９）。
【００９０】
（２．３．効果）
スキャナの走行体にアンテナが配設されて、画像の読み込みと同時にアンテナを介して
リーダ・ライターが原稿に付加された無線タグと交信を行い、無線タグ識別番号識別判定
部が無線タグの種類を識別し、課金対象であると判定した場合、課金処理部が課金処理を
施すことによって、スキャナのランプなどの読み取り装置の状態や、複写対象の汚れなど
に左右されずにスキャナ面のどの位置においても、高精度に課金が必要な原稿か否かを判
定し、複写の際に、画像処理を施す前に課金処理を行うことができる。
【００９１】
（３．実施の形態による画像処理装置を備えた複写機の例）
図２０は、本発明の実施の形態による画像処理装置を備えた複写機の内部機構を説明す
る図である。複写機１２００の有する自動原稿送り部（以下ＡＤＦと略す）１００１にあ
る原稿台１００２に、原稿束が原稿の画像面を上にして置かれる。そして、操作部上のス
タートキーが押下されると、一番下の原稿から給送ローラ１００３および給送ベルト１０
０４によってコンタクトガラス１００６上の所定の位置に給送される。読み取りユニット
１０５０によってコンタクトガラス１００６上の原稿の画像データを読み取り後、読み取
りが終了した原稿は、給送ベルト１００４および排送ローラ１００５によって排出される
。さらに、原稿セット検知１００７にて原稿台１００２に次の原稿が有ることを検知した
場合、前原稿と同様にコンタクトガラス１００６上に給送される。給送ローラ１００３、
給送ベルト１００４および排送ローラ１００５はモータによって駆動される。
【００９２】
ここで原稿は、ＡＤＦにセットされずに、コンタクトガラス１００６上に載置されて複
写されることも可能である。特に、無線タグがＡＤＦにセットして複写できない容量を有
する場合には、コンタクトガラス１００６に載置して複写する方法は有効である。
【００９３】
第１トレイ１００８あるいは第２トレイ１００９に積載された記録媒体である転写紙は
、各々第１給紙部１０１１あるいは第２給紙部１０１２によって給紙され、縦搬送ユニッ
ト１０１４によって感光体１０１５に当接する位置まで搬送される。読み取りユニット１
０５０にて読み込まれた画像データは、書き込みユニット１０５７からのレーザによって
感光体１０１５に書き込まれ、現像ユニット１０２７を通過することによってトナー像が
形成される。そして、転写紙は感光体１０１５の回転と等速で搬送ベルト１０１６によっ
て搬送されながら、感光体１０１５上のトナー像が転写される。その後、定着ユニット１
０１７にて画像を定着させ、排紙ユニット１０１８によって後処理部のフィニシャ１１０
０に排出される。
【００９４】
後処理部のフィニシャ１１００は、本体の排紙ローラ１０１９によって搬送された転写
紙を、通常排紙ローラ１１０２方向と、ステープル処理部方向に導くことができる。切り
替え板１１０１を上に切り替えることにより、搬送ローラ１１０３を経由して通常排紙ト
レイ１１０４側に排紙することができる。また、切り替え板１１０１を下方向に切り替え
ることで、搬送ローラ１１０５、１１０７を経由して、ステープル台１１０８に搬送する
ことができる。
【００９５】
ステープル台１１０８に積載された転写紙は、一枚排紙されるごとに紙揃え用のジョガ
ー１１０９によって、紙端面が揃えられ、一部のコピー完了と共にステープラ１１０６に
よって綴じられる。ステープラ１１０６で綴じられた転写紙群は自重によって、ステープ
ル完了排紙トレイ１１１０に収納される。
【００９６】
一方、通常の排紙トレイ１１０８は前後に移動可能な排紙トレイである。前後に移動可
能な排紙トレイ部１１０８は、原稿ごと、あるいは、ソーティングされたコピー部ごとに、前後に移動し、簡易的に排出されてくるコピー紙を仕分けるものである。
【００９７】
転写紙の両面に画像を作像する場合は、各給紙トレイ１００８、１００９から給紙され
作像された転写紙を排紙トレイ側に導かないで、経路切り替えのための分岐爪１１１２を
上側にセットすることで、一旦両面給紙ユニット１１１１にストックする。その後、両面
給紙ユニット１１１１にストックされた転写紙は再び感光体１０１５に作像されたトナー
画像を転写するために、両面給紙ユニット１１１１から再給紙され、経路切り替えのため
の分岐爪１１１２を下側にセットし、排紙トレイ１１０４に導く。この様に転写紙の両面
に画像を作成する場合に両面給紙ユニット１１１１は使用される。
【００９８】
感光体１０１５、搬送ベルト１０１６、定着ユニット１０１７、排紙ユニット１０１８
および現像ユニット１０２７は、メインモータによって駆動され、各給紙部１０１１、１
０１２はメインモータの駆動を各々給紙クラッチによって伝達駆動される。縦搬送ユニッ
ト１０１４はメインモータの駆動を中間クラッチによって伝達駆動される。読み取りユニ
ット（スキャナ）１０５０は、原稿を載置するコンタクトガラス１００６と光学走査系で
構成されており、光学走査系は、露光ランプ１０５１、第１ミラー１０５２、レンズ１０
５３、ＣＣＤイメージセンサ１０５４等々で構成されている。
【００９９】
露光ランプ１０５１および第１ミラー１０５２は、図示しない第１キャリッジ上に固定
され、第２ミラー１０５５および第３ミラー１０５６は、図示しない第２キャリッジ上に
固定されている。原稿像を読み取る時には、光路長が変わらないように、第１キャリッジ
と第２キャリッジとが２対１の相対速度で機械的に走査される。この光学走査系は、図示
しないスキャナ駆動モータにて駆動される。原稿画像は、ＣＣＤイメージセンサ１０５４
によって読み取られ、電気信号（アナログ画像信号）に変換され、そしてデジタルデータ
（画像データ）に変換される。画像データには更に数種の画像処理が施される。
【０１００】
レンズ１０５３およびＣＣＤイメージセンサ１０５４を図１において左右方向に移動さ
せることにより、画像倍率が変わる。即ち、指定された倍率に対応してレンズ１０５３お
よびＣＣＤイメージセンサ１０５４の左右方向に位置が設定される。書き込みユニット１
０５７は、レーザ出力ユニット１０５８、結像レンズ１０５９およびミラー１０６０で構
成され、レーザ出力ユニット１０５８の内部には、レーザ光源であるレーザダイオードお
よびモータによって高速で定速回転する回転多面鏡（ポリゴンミラー）が備わっている。
レーザ出力ユニット１０５８より照射されるレーザ光は、定速回転するポリゴンミラーで偏光され、結像レンズ１０５９を通り、ミラー１０６０で折り返され、感光体面上に集光結像する。
【０１０１】
偏光されたレーザ光は、感光体が回転する方向と直行する方向（主走査方向）に露光走
査され、後述する画像処理装置のセレクタ１０６４より出力された画像信号のライン単位
の記録を行う。感光体の回転速度と記録密度に対応した所定の周期で主走査を繰り返すこ
とによって、感光体面上に画像（静電潜像）が形成される。上述のように、書き込みユニ
ット１０５７から出力されるレーザ光が、画像作像系の感光体１０１５に照射される。図
示しないが感光体１０１５の近傍の、レーザビームを照射される位置に、主走査同期信号
を発生するビームセンサが配置されている。この主走査同期信号をもとに主走査方向の画
像記録開始タイミングの制御、および、後述する画像信号の入出力を行うための制御信号
の生成を行う。
【０１０２】
図２１は、図２０に示された複写機の備えるスキャナの概要を示す模式図である。図２
２は、図２０に示された複写機の備える光学系の概要を示す模式図である。スキャナ４に
おいては、第１キャリッジ５０１と第２キャリッジ５０２は、２本の、対称に張られたワ
イヤ５０３により、フォワ−ド方向とその逆のリタ−ン方向に駆動され、フォワ−ド方向
の駆動の間に、原稿の画像の輝度が、ＣＣＤ５１４で電気信号に変換される。ワイヤ５０
３は、駆動軸５０４と一体となったプーリ５０５に巻かれその回転により駆動される。プ
ーリ５０５は、タイミングベルト５０６で、ステッピングモータ５０８の軸と一体となっ
ているプーリ５０７に結合している。モータ５０８が正転すると、第１キャリッジ５０１
がフォワ−ド方向に移動し、第２キャリッジ５０２がそれと同方向にその半分の速度で移
動する。
【０１０３】
図２１中の符号５０１が走行体であり、主走査方向にランプをあて、その反射光をミラ
ーを介して主走査方向のＣＣＤ５１４へ送り、順次、副走査方向に移動していく。符号５
１３はレンズである。実施の形態におけるアンテナ１は、この走行体５０１に配設される
。
【０１０４】
（４．ハードウェア構成、記録媒体）
図２３は、実施の形態による画像処理装置のハードウェア構成の一例を示す図である。
上述した画像処理装置は、あらかじめ用意されたプログラムをパーソナルコンピュータや
ワークステーションなどのコンピュータシステムで実行することによって実現できる。コ
ンピュータ７００は、ＣＰＵ（Ｃｅｎｔｒａｌ  Ｐｒｏｃｅｓｓｉｎｇ  Ｕｎｉｔ）７０
１によって装置全体が制御されている。ＣＰＵ７０１には、バス７０７を介してＲＯＭ（
Ｒｅａｄ  Ｏｎｌｙ  Ｍｅｍｏｒｙ）７０２、ＲＡＭ（Ｒａｎｄｏｍ  Ａｃｃｅｓｓ  Ｍ
ｅｍｏｒｙ）７０３、ハードディスクドライブ（ＨＤＤ：Ｈａｒｄ  Ｄｉｓｋ  Ｄｒｉｖ
ｅ）７０４、グラフィック処理装置７０５、入力インタフェース７０６が接続されている
。ＲＯＭ７０２、およびＲＡＭ７０３には、ＣＰＵ７０１に実行させるＯＳ（Ｏｐｅｒａ
ｔｉｎｇ  Ｓｙｓｔｅｍ）のプログラムやアプリケーションプログラムの少なくとも一部
が格納される。またＲＡＭ７０３には、ＣＰＵ７０１による処理に必要な各種データが格
納される。ＨＤＤ７０４には、ＯＳ、各種ドライバプログラム、アプリケーションプログ
ラム、検出されたデータなどが格納される。
【０１０５】
グラフィック処理装置７０５には、モニタ７１１が接続されている。グラフィック処理
装置７０５は、ＣＰＵ７０１からの命令に従って、画像をモニタ７１１の画面に表示させ
る。入力インタフェース７０６には、キーボード７１２とマウス７１３とが接続されてい
る。入力インタフェース７０６は、キーボード７１２やマウス７１３から送られてくる信
号を、バス７０７を介してＣＰＵ７０１に送信する。バス７０７に接続した画像出力装置７１０は、画像処理を施された画像データに基づいて画像出力する。
【０１０６】
尚、本実施形態の画像処理装置で実行されるデータ同期プログラムは、インストール可
能な形式又は実行可能な形式のファイルでＣＤ−ＲＯＭ、フロッピー（Ｒ）ディスク、Ｄ
ＶＤ等のコンピュータで読み取り可能な記録媒体に記録されて提供される。
【０１０７】
また、本実施形態の画像処理プログラムを、インターネット等のネットワークに接続さ
れたコンピュータ上に格納し、ネットワーク経由でダウンロードさせることにより提供お
よび配布するように構成しても良い。
【産業上の利用可能性】
【０１０８】
以上のように、本発明にかかる画像処理装置、画像処理方法、およびその方法をコンピ
ュータで実行するプログラムは、複写機に有用であり、特に、複写禁止原稿を判定し、偽
造を防止する機能を有した複写機に適している。
【図面の簡単な説明】
【０１０９】
【図１】実施の形態１による画像処理装置の機能的ブロック図である。
【図２】画像処理装置の全体構成図である。
【図３】実施の形態１による画像処理手順を説明するフローチャートである。
【図４】原稿読み取り走行体に配設されて原稿面を移動するアンテナの模式図である。
【図５】原稿読み取り走行体に配設されたアンテナの配置を説明する模式図である。
【図６】リーダ・ライターと交信する無線タグの機能的ブロック図である。
【図７】無線タグアクセス記録のフォーマットの一例を示す模式図である。
【図８】ページヘッダのフォーマットの一例を示す模式図である。
【図９】リーダ・ライターと無線タグとの交信手順を説明するフローチャートである。
【図１０】実施の形態１による画像処理装置における偽造防止手順を説明するフローチャートである。
【図１１】図２の符号化部の機能的ブロック図である。
【図１２】図２のページ復号部の機能的ブロック図である。
【図１３】図２の偽造防止処理部３２の機能的ブロック図である。
【図１４】図２の画像処理部の機能的ブロック図である。
【図１５】実施の形態２による画像処理装置の機能的ブロック図である。
【図１６】実施の形態２による画像処理装置の全体構成図である。
【図１７】実施の形態２による画像処理の概略的な手順を説明するフローチャートである。
【図１８】実施の形態２による画像処理装置を課金処理機能付き複写機として書店に設置した場合における課金処理の手順を説明するフローチャートである。
【図１９】画像処理装置のＬＣＤに課金情報を表示する一例を示す模式図である。
【図２０】本発明の実施の形態による画像処理装置を備えた複写機の内部機構を説明する図である。
【図２１】図２０に示された複写機の備えるスキャナの概要を示す模式図である。
【図２２】図２０に示された複写機の備える光学系の概要を示す模式図である。
【図２３】実施の形態による画像処理装置のハードウェア構成の一例を示す図である。
【符号の説明】
【０１１０】
１  アンテナ
２  リーダ・ライター
３、３０  画像処理ユニット
４  スキャナ
５  メインメモリ
８  通信部
９  課金管理システム
１０  ネットワーク
１１  走行体
２１  アンテナ入力回路
２２  復調回路
２３  データ処理回路
２４  送信ドライバ
２５  変調回路
３１  無線タグ識別番号識別判定部
３２  偽造防止処理部
３３  画像データ入力処理部
３４  ページヘッダ編集部
３５  ページ復号部
３６  画像処理部
３７  ラインメモリ
３８  プリンタエンジン
４２  ラインメモリ
４３  符号化部
５１  無線タグアクセス記録領域
５２  ページヘッダメモリ領域
５３  ページ符号メモリ領域
６１  ハードディスク（ＨＤＤ）制御部
７０  無線タグ
７１  メモリ
７２  データ処理回路
７３  変調回路
７４  送信ドライバ
７５  アンテナ入力回路
７６  電源生成回路
７７  復調回路
８０  課金処理部
３０１  無線タグ識別番号識別判定部
３０４  ページヘッダ編集部
【図１】
2005208575.tif 000006
【図２】
2005208575.tif 000007
【図３】
2005208575.tif 000008
【図４】
2005208575.tif 000009
【図５】
2005208575.tif 000010
【図６】
2005208575.tif 000011
【図７】
2005208575.tif 000012
【図８】
2005208575.tif 000013
【図９】
2005208575.tif 000014
【図１０】
2005208575.tif 000015
【図１１】
2005208575.tif 000016
【図１２】
2005208575.tif 000017
【図１３】
2005208575.tif 000018
【図１４】
2005208575.tif 000019
【図１５】
2005208575.tif 000020
【図１６】
2005208575.tif 000021
【図１７】
2005208575.tif 000022
【図１８】
2005208575.tif 000023
【図１９】
2005208575.tif 000024
【図２０】
2005208575.tif 000025
【図２１】
2005208575.tif 000026
【図２２】
2005208575.tif 000027
【図２３】
2005208575.tif 000028